(57)【要約】【課題】液晶パネルにバックライトの間に介挿する光学補償シート積層体の厚みを低減する。【解決手段】導光板ＧＬＢの出光面ＬＴＳに断面が３角形の凸条ＭＺを形成し、上記凸条ＭＺの後斜面ＢＳの角度を２０°乃至３０°の範囲とした。これにより、光学補償シート積層体ＯＰＳを第１のプリズムシートＰＲＺ１と第２のプリズムシートＰＲＺ２および一枚の拡散シートＤＦのみとした。【選択図】　　　　図１
2004069879.tif 000002
【特許請求の範囲】
【請求項１】
内面に画素形成用の電極を有する少なくとも二枚の透明基板の間に液晶層を挟持して構成された液晶パネルと、
透明板からなる導光板の側縁に沿って配置した線状光源を有して前記液晶パネルの背面に設置されるサイドエッジ型のバックライトと、前記液晶パネルと前記バックライトの間に介挿された光学補償シート積層体とを有する液晶表示装置であって、
前記導光板の前記液晶パネルに対面する前記液晶パネルと平行な出光面には、前記線状光源の長手方向に対して平行な第１の方向に延在し、前記線状光源から遠ざかる第２の方向に並設されて、前記第２の方向の前記線状光源側に前斜面を有すると共に当該線状光源とは反対側に後斜面を有して前記第２の方向に沿った断面が略３角形状を呈する多数の凸条が形成されており、
前記凸条の前記断面における前記後斜面の前記出光面に対する角度を２０°乃至３０°の範囲としたことを特徴とする液晶表示装置。
【請求項２】
前記後斜面の前記出光面に対する角度を２０°乃至３０°の範囲とし、前記前斜面の前記出光面に対する角度を４０°乃至５０°としたことを特徴とする請求項１に記載の液晶表示装置。
【請求項３】
前記凸条の前記第２の方向における配列ピッチは、前記線状光源側で大きく、当該線状光源から遠ざかるに従って小であることを特徴とする請求項１又は２に記載の液晶表示装置。
【請求項４】
前記凸条の前記第２の方向における配列ピッチがランダムであることを特徴とする請求項１又は２に記載の液晶表示装置。
【請求項５】
前記光学補償シート積層体は前記導光板の出光面に直接対面させると共に、前記光学補償シート積層体が、前記導光板側から、第１のプリズムシート、第２のプリズムシート、拡散シートの順で積層されていることを特徴とする請求項１乃至４の何れかに記載の液晶表示装置。
【請求項６】
前記第１のプリズムシートに拡散処理を施したことを特徴とする請求高１乃至５の何れかに記載の液晶表示装置。
【発明の詳細な説明】
【０００１】
【発明の属する技術分野】
本発明は、液晶表示装置に係り、特に導光板と、この導光板の側縁に線状光源を備えた、所謂サイドライト型バックライトを有する液晶表示装置に関する。
【０００２】
【従来の技術】
軽量かつ低消費電力の表示装置として液晶表示装置が広く用いられている。液晶表示装置は、少なくとも一方が透明なガラス等を好適とする二枚の絶縁基板の間に液晶を挟持した液晶パネルで構成される。液晶パネルはその一方または双方の絶縁基板の内面に画素選択のための電極を形成し、あるいは薄膜トランジスタ等のアクティブ素子を有し、選択された画素に電子的な潜像を形成して、これを背面あるいは表面から照明を与えることで可視化するものである。
【０００３】
特に、パソコンやディスプレイモニター、携帯情報端末、テレビ受像機などでは液晶パネルの背面に光源を備えたものが多用されている。このような背面設置の光源はバックライトと称し、典型低なものとしてアクリル板等の導光板と呼ばれる透明板を液晶パネルの背面に積層し、その側縁に設置した光源の光を当該導光板に伝播させながら液晶パネル方向に出光させて照明する、所謂サイドライト型バックライトを設置した液晶表示装置が知られている。
【０００４】
図１３は従来の一般的なサイドライト型バックライトを設置した液晶表示装置の一構成例を模式的に説明する断面図である。図中、ＰＮＬは液晶パネルであり、二枚の基板（第１基板ＳＵＢ１と第２基板ＳＵＢ２）の間に液晶層を挟持してなり、ガラス製の第１基板ＳＵＢ１と第２ＳＵＢ２の双方、または一方の内面に画素形成用の電極あるいはアクティブ素子等を有する。薄膜トランジスタ（ＴＦＴ）等のアクティブ素子を形成した第１基板ＳＵＢ１をアクティブ・マトリクス基板、薄膜トランジスタを用いたものをＴＦＴ基板とも称する。第２基板にカラーフィルタを形成した場合は、これをカラーフィルタ基板とも称する。第１基板ＳＵＢ１の表面と上側の基板ＳＵＢ２の表面には、それぞれ偏光板ＰＯＬ１、ＰＯＬ２が貼付されている。また、ＢＬはバックライトであり、アクリル製の板で構成した導光板ＧＬＢと線状光源としての冷陰極蛍光ランプＣＦＬ、反射板ＲＦＳ、およびランプ反射シートＬＦＳで構成されている。
【０００５】
液晶パネルＰＮＬとバックライトＢＬの間には光学補償シート積層体ＯＰＳが介挿されている。この光学補償シート積層体ＯＰＳは、バックライトＢＬの導光板ＧＬＢ側から、第１の拡散シート、第１のプリズムシート、第２のプリズムシート、第２の拡散シートの順で積層されている。第２のプリズムシートＰＲＸのプリズム溝の方向は第１のプリズムシートＰＲＺ２のプリズム溝の方向に対して交差して配置されている。導光板ＧＬＢの出光面、すなわち光学補償シート積層体ＯＰＳと対面する表面は平坦である。導光板ＧＬＢの裏面すなわち液晶パネルＰＮＬと反対側の表面はドット印刷あるいは凹凸の形成による光反射処理面とされている。
【０００６】
冷陰極蛍光ランプＣＦＬから出射した光は、導光板ＧＬＢに入射する。入射光Ｌは導光板ＧＬＢ内を全反射角を満たす入射角θ１が約４３°乃至約９０度であり、導光板ＧＬＢ中を全反射しながら図の右方向に伝播する。この伝播の途中で、光反射処理面に当たった光は導光板ＧＬＢの出光面ＬＴＳから空気中にθ２で出射する。導光板ＧＬＢから出射した光は第１の拡散シートＤＦ１で液晶パネルＰＮＬ方向に角度θ３だけ若干の経路変更がなされて第１および第２プリズムシートＰＲＺ１、ＰＲＺ２を通って液晶パネルＰＮＬに対して略鉛直に入射するように経路が修正される。プリズムシートＰＲＺ１、ＰＲＺ２を通った光は第２の拡散シートＤＦ２の拡散作用で当該プリズムシートＰＲＺ１、ＰＲＺ２を通ることによる輝度むら（明るさむら）が修正され、液晶パネルＰＮＬを背面から照明する。
【０００７】
このとき、導光板ＧＬＢの出光面から空気中に出光する光の強度が最も大きいのはθ２が４１．８°、出射角θ２が約８０°の光である。第１の拡散シートＤＦ１を通過することによる出射角θ２は約８０°の光である。θ２が８０°で第１の拡散シートＤＦ１に入射した光は、この第１の拡散シートＤＦ１を通過することで出射角θ３が５０°乃至６０°となる。この光は、さらに第１のプリズムシートＰＲＺ１と第２のプリズムシートＰＲＺ２によって液晶パネルに対して略垂直に入射するため、液晶パネルＰＮＬの表示面の鉛直方向が最も明るくなる。このとき、薄型化のために第１の拡散シートＤＦ１を取り去った場合を想定すると、導光板ＧＬＢから出射し、プリズムシートＰＲＺ１に入射する光は、その入射角度θ２が８０°であるため、液晶パネルの鉛直方向を十分に照明することはできない。
【０００８】
図１４は従来の一般的なサイドライト型バックライトを構成する導光板の他の構成例を模式的に説明する断面図である。この導光板ＧＬＢは、その出光面に多数の凸条ＭＺＧＡ成されている。凸条ＭＺは、線状光源ＣＦＬの長手方向に対して平行な第１の方向に延在し、線状光源ＣＦＬから遠ざかる第２の方向に並設されている。上記第２の方向の線状光源ＣＦＬ側に前斜面を有すると共に当該線状光源とは反対側に後斜面を有して上記第２の方向に沿った断面が略３角形状を呈している。
【０００９】
図１４に示した導光板ＧＬＢでは、上記の凸条ＭＺの前斜面の内角βは上記後斜面の内角αより小さくされ、冷陰極蛍光ランプＣＦＬから入射した光Ｌが導光板ＧＬＢ内を伝播する際の全反射を促す作用を有する。導光板ＧＬＢを出射した光は図１４と同様の構成をもつ光学補償シート積層体を通って液晶パネルを照明する。なお、この種の導光板を備えた液晶表示装置を開示したものとしては、例えば特開平８−３０４６１２号公報を挙げることができる。
【００１０】
【発明が解決しようとする課題】
上記従来の液晶表示装置では、バックライトと液晶パネルの間に介挿する光学補償シート積層体ＯＰＳは二枚の拡散シートと２枚のプリズムシートを積層して構成される。そのため、この光学補償シート積層体ＯＰＳの全体厚みが厚くなる。また、導光板の出光面に設ける凸条の前斜面を後斜面よりも緩い傾斜としたものでは、後斜面の角度によっては当該後斜面からの光抜けが大きくなったり、あるいは前斜面との間で多重反射が生じて凸状の頂部近傍に輝線が生じ、これが液晶パネルの明るさのむらを招く。そのため、第１の拡散シートの設置は回避できない。
【００１１】
本発明の目的は、液晶パネルにバックライトの間に介挿する光学補償シート積層体の厚みを低減し、導光板の出光面に断面が略３角形の凸条を設けた場合でも液晶パネルの照明光分布にむらをもたらすことなく、高品質の表示を可能とした液晶表示装置を提供することにある。
【００１２】
【課題を解決するための手段】
上記目的を達成するために、本発明は、導光板の出光面を特定の形状とすることで拡散シートを一枚のみとして光学補償シート積層体の積層シート枚数を低減した。すなわち、光学補償シート積層体を導光板の出光面に直接対面させると共に、光学補償シート積層体を導光板側から、第１のプリズムシート、第２のプリズムシート、拡散シートの順で積層した。
【００１３】
液晶パネルは、内面に画素形成用の電極を有する少なくとも二枚の透明基板の間に液晶層を挟持して構成される。この液晶パネルの背面に設置するサイドエッジ型のバックライトは、透明板からなる導光板と、この側縁に沿って配置した線状光源を有し、前記液晶パネルと前記バックライトの間に光学補償シート積層体が介挿される。
【００１４】
この導光板の液晶パネルに対面する出光面に、線状光源の長手方向に対して平行な第１の方向に延在し、線状光源から遠ざかる第２の方向に多数の凸条を並設する。この凸条は、上記第２の方向の上記線状光源側に前斜面を有すると共に当該線状光源とは反対側に後斜面を有し、第２の方向に沿った断面が略３角形状を呈する。そして、この凸条は線状光源側にある後斜面の上記出光面に対する角度を上記後斜面の当該出光面に対する角度より小さくした。
【００１５】
後斜面の上記角度は２０°乃至３０°であり前斜面の角度は４０°乃至５５°とする。また、凸条の上記第２の方向における配列ピッチは、前記線状光源側で大きく、当該線状光源から遠ざかるに従って小とすることで、導光板の全域での明るさ分布を平均化できる。
【００１６】
凸条の上記第２の方向における配列ピッチをランダムとしてもよく、またこの凸条のピッチをプリズムシートのプリズム溝のピッチが整数倍にならないようにすることで両者の光学的な干渉の発生を回避できる。さらに、導光板と対向する第１のプリズムシートに拡散処理を施せば、明るさむらの発生をより低減することができる。
【００１７】
上記本発明の構成としたことにより、光学補償シート積層体を組み合わせたときの全体の厚みを低減可能とし、液晶パネルの照明光分布にむらをもたらすことなく、高品質の表示を可能とした液晶表示装置を提供することができる。なお、本発明は、上記の構成および後述する実施例の構成に限定されるものではなく、本発明の技術思想を逸脱することなく種々の変更が可能であることは言うまでもない。
【００１８】
【発明の実施の形態】
以下、本発明の実施の形態について、実施例の図面を参照して詳細に説明する。図１は本発明によるサイドライト型の液晶表示装置の構成例を模式的に説明する要部断面図である。また、図２は図１における導光板の外観を説明する斜視図である。図中、参照符号ＰＮＬは液晶パネルであり、ガラス板からなる第１基板ＳＵＢ１と第２基板ＳＵＢ２の間に液晶ＬＣが挟持され、第１主面（バックライト側）に第１偏光板ＰＯＬ１が、第２主面（表示面側）に第２偏光板ＰＯＬ２が積層されている。
【００１９】
参照符号ＯＰＳは光学補償シート積層体、ＧＬＢは導光板、ＣＦＬは冷陰極蛍光ランプ、ＲＦＳは反射シート、ＬＦＳはランプ反射シートである。ランプ反射シートＬＦＳや反射シートＲＦＳは白色の樹脂フィルムなどが使用される。また、反射シートＲＦＳを延長して冷陰極蛍光ランプＣＦＬの背面から上面に折り曲げてランプ反射シートとすることもできる。導光板ＧＬＢの冷陰極蛍光ランプＣＦＬとは反対側の側縁には銀テープなどの反射材を貼付してあるが、図示は省略した。
【００２０】
光学補償シート積層体ＯＰＳは、導光板ＧＬＢに対向する第１のプリズムシートＰＲＺ１の上に第２のプリズムＰＲＺ２、拡散シートＤＦを積層している。第１のプリズムシートＰＲＺ１のプリズム溝の方向は導光板ＧＬＢの凸条の延在方向と同方向で、第２のプリズムＰＲＺ２のプリズム溝の方向は第１のプリズムシートＰＲＺ１のプリズム溝の方向に交差するように配置されている。第１のプリズムシートＰＲＺ１の何れか一方の面または両面に拡散処理を施すこともできる。
【００２１】
導光板ＧＬＢは断面が楔形で、その裏面すなわち液晶パネルＰＮＬと反対側の表面はドット印刷あるいは凹凸の形成による光反射処理面とされている。図１にはドット印刷ＤＯＴを示している。そして、導光板ＧＬＢの表面すなわち液晶パネルＰＮＬと平行な出光面には、冷陰極蛍光ランプＣＦＬの長手方向に対して平行な第１の方向に延在し、当該冷陰極蛍光ランプＣＦＬから遠ざかる第２の方向に多数の凸条ＭＺが形成されている。この凸条ＭＺは、上記第２の方向の冷陰極蛍光ランプＣＦＬ側に前斜面ＦＳを有すると共に当該冷陰極蛍光ランプＣＦＬとは反対側に後斜面ＢＳを有して、上記第２の方向に沿った断面が略３角形状を呈している。
【００２２】
本実施例では、導光板ＧＬＢの出光面ＬＴＳに対する凸条ＭＺの後斜面ＢＳの角度αは２４°であり、前斜面ＦＳの角度βは２７°である。なお、凸条ＭＺの前記第２の方向方向における配列ピッチは一定でもよいが、冷陰極蛍光ランプＣＦＬ側で大きく、当該線状光源から遠ざかるに従って小とすることで液晶パネルへの出射光の明るさ分布を平均化できる。また、凸条ＭＺの前記第２の方向における配列ピッチＰをランダムとし、あるいはプリズムシートＰＲＺ１のプリズム溝のピッチに対して非整数倍とすることで光学的な干渉の発生を回避できる。
【００２３】
図３は本発明によるサイドライト型の液晶表示装置の第２実施例の構成を模式的に説明する導光板の断面図である。導光板以外の構成は図１で説明した第１実施例と同様なので、繰り返しの説明はしない。本実施例では、導光板ＧＬＢに形成される凸条ＭＺの後斜面ＢＳの角度αを２７°、前斜面ＦＳの角度βを４８．６°とした。導光板ＧＬＢ内を伝播し、空気中に５０°で出射する光Ｌは導光板ＧＬＢの出光面ＬＴＳに対して４８．８°をなすため、凸条ＭＺの前斜面ＦＳの角度を当該出光面ＬＴＳに対して４８．８°としておくことにより、当該前斜面ＦＳの内面に当たることがなく、出射光を効率よく取り出すことができる。ちなみに、本実施例では、従来よりも約５％高い輝度を得ることができた。
【００２４】
図４は本発明によるサイドライト型の液晶表示装置の第３実施例の構成を模式的に説明する導光板の断面図である。導光板以外の構成は図１で説明した第１実施例と同様なので、繰り返しの説明はしない。本実施例では、導光板ＧＬＢの材料をシクロオレフィン樹脂とし、出光面に形成される凸条ＭＺの後斜面ＢＳの角度αを２１°、前斜面ＦＳの角度βを２５°とした。さらに、凸条ＭＺの頂部ＡＣＭに丸みを付けている。この丸みの半径は約０．５ｍｍとした。シクロオレフィン樹脂はアクリル樹脂と同等の光透過性と屈折率をもつが、表面の硬度が低く、傷つき易い。本実施例のように、凸条ＭＺの頂部ＡＣＭに丸みを付けたことで、その上に配置されるプリズムシートＰＲＺ１との接触で互いが傷つくことが回避される。また、鋭角部がないため、頂部ＡＣＭでの異常光反射が回避され、表示品質を向上することができる。さらに、図示はしないが、凸条ＭＺの谷部にも同様の丸みを持たせることで谷部での異常光反射が回避される。なお、凸条ＭＺの頂部ＡＣＭおよび谷部に丸みを持たせることは前記実施例のアクリル樹脂で構成した導光板ＧＬＢに対しても適用できる。
【００２５】
次に、上記本発明の各実施例における導光板の凸条ＭＺに設定する角度の光学的な理由付けについて、一般的な光学法則と従来の導光板の原理から説明し、その後に本発明の実施例に関して説明する。
【００２６】
一般に、媒質境界表面では、一方の媒質の屈折率をＮ１　、他方の媒質の屈折率をＮ２　、入射角をθ１　、出射角をθ２　としたとき、下記（１）式に示すスネルの法則が成り立つ。
【００２７】
Ｎ１　ｓｉｎθ１　＝Ｎ２　ｓｉｎθ２　　・・・・・（１）
空気中に置いた導光板からの光出射を考えたとき、導光板がアクリル樹脂の場合はアクリル樹脂の屈折率Ｎ１　＝１．４９、空気の屈折率Ｎ２　＝１．０なので、
０°＜θ１　＜４２．２°　　：屈折
４２．２°＜θ１　＜９０°　：全反射
となり、冷陰極蛍光ランプから導光板に入射した光は全反射を繰り返すごとに、反射角を小さくしながら導光板内を伝播する。そして、臨界角４２．２になった時点で空気中に出射する。
【００２８】
図５は出射角に対する輝度分布の説明図、図６は入射角に対する輝度分布の説明図である。現実には、図５に示したように、出射角θ２　＝８０°に輝度のピークを持つ分布となる。したがって、（１）式に示したスネルの法則にから、入射角θ１　は図６に示したように４１．４°にピークを持った分布になると考えられる。図１４に示した従来技術では、この出射光が第１の拡散シートを通過することで光路が曲げられる。
【００２９】
図７は導光板の出光面から出射する光の輝度分布の説明図である。導光板から出射する出射光の出射角度θ３　は、θ３　＝５０°にピークを有する分布を持つ。θ２　＝８０°で出射した出射光がθ３　＝５０°に曲げられたことから、θ２　とθ３　について次の（２）式が成立すると仮定する。
【００３０】
ｓｉｎθ２　／ｓｉｎθ３　＝ｓｉｎ８０／ｓｉｎ５０＝１．２９・・・・・（２）
次に、本発明による導光板の原理を説明する。図８は図１における導光板の凸条の後斜面における出射光の説明図である。導光板の３角形の凸条の後斜面ＢＳの傾斜角をα、導光板の出光面ＬＴＳの鉛直面ＰＴＳを基準とした後斜面ＢＳへの入射角をθ（＝図６のθ１）、出射角をγとする。後斜面ＢＳと空気との境界において、スネルの法則から次式（３）が成立する。
【００３１】
１．４９ｓｉｎ（α−θ）＝ｓｉｎ（α−γ）　・・・・・（３）
図６に示したように、θ（＝図６のθ１）は４１．４°に鋭いピークをもった分布をとるが、この中でも出射角γのピーク５０°付近に寄与する領域は３９°＜θ＜４２°と考えられる。この領域に対する出射角γは式（１）と（２）より、４６．６°＜γ＜５０．６°である。したがって、式（３）より、２４．１°＜θ＜２５．１°となり、θがこの領域であれば、導光板から出射する光はある角度にピークをもつ分布となり、特に、θ＝４１．４°、γ＝５０°の場合、θ＝２４．８°で図１３に示された第１の拡散シートＤＦ１が設置されている場合の分布（図７）と同等の分布を得ることができる。
【００３２】
本実施例の導光板に形成する凸条ＭＺのピッチは、光をできるだけ遠くまで伝播させるために、冷陰極蛍光ランプＣＦＬの近くで粗く、遠くなる程密にするのが望ましい。また、この凸条ＭＺのピッチをランダム配置とすることもでき、θ＝２４．８°で最大の効果をもつことに変わりはない。
【００３３】
以上の実施例では、楔形断面の導光板ＧＬＢの一側縁にのみ冷陰極蛍光ランプＣＦＬを配置した場合について説明したが、平板（断面が矩形）の導光板を用い、その対向する両側の側縁にそれぞれ冷陰極蛍光ランプを設置したものにも適用できる。この場合は、当該導光板の中央部分が光源から最も遠い部分となり、凸条の形状もこの中央部に対して上記実施例の角度配置を適用すればよい。
【００３４】
図９は本発明による液晶表示装置を用いた液晶表示モジュールの構成例を模式的に説明する要部断面図である。図中、参照符号ＰＮＬは液晶パネルであり、ガラス板からなる第１基板ＳＵＢ１と第２基板ＳＵＢ２の間に液晶層が挟持され、背面に第１偏光板ＰＯＬ１が、表面に第２偏光板ＰＯＬ２が積層されている。参照符号ＯＰＳは光学シート類、ＧＬＢは導光板、ＣＦＬは冷陰極蛍光ランプ、ＭＤＬは下フレーム（ここでは、樹脂モールド）、ＲＦＳは反射シート、ＬＦＳはランプ反射シート、ＳＨＤは金属製の上フレームである。なお、反射シートＲＦＳは白色の樹脂フィルムなどが使用される。また、図９では反射シートＲＦＳを延長して冷陰極蛍光ランプＣＦＬの背面から上面に折り曲げてランプ反射シートとしているが、反射シートＲＦＳとは別部材としてもよい。
【００３５】
上フレームＳＨＤは鉄系金属板で構成され、その主要部分に液晶パネルＰＮＬの有効表示領域を露呈する表示窓を形成して周囲に額縁を有し、この額縁部分の側壁は下フレームＭＤＬ方向に延在されて当該下フレームＭＤＬと既知の手段で係合させ、固定される。光学補償シート積層体ＯＰＳは、導光板ＧＬＢ側から第１プリズムシートＰＲＺ１、第２プリズムシートＰＲＺ２、拡散シートＤＦ２を順次重ねた積層体である。導光板ＧＬＢに出光面には前記実施例で説明した凸条ＭＺが形成されており、冷陰極蛍光ランプＣＦＬと反対の側縁には銀テープなどの光反射テープＲＴが貼付されている。なお、後述する駆動回路チップＤＩＣやフレキシブルプリント基板ＦＰＣ１、ＦＰＣ２等は図示を省略してある。
【００３６】
図１０は本発明による液晶表示装置の全体構成の一例を説明する展開斜視図である。図９は図１０のＥ−Ｅ’線に相当する位置で切断した断面図に相当する。図１０中、参照符号ＰＮＬは液晶パネルを示し、第１の基板ＳＵＢ１の周縁には画素を構成する薄膜トランジスタに表示データや走査信号を供給するための駆動回路チップＤＩＣが搭載されている。また、参照符号ＯＰＳは光学シート積層体、ＧＬＢは導光板、ＲＦＳは反射シート、ＭＤＬは下フレーム、ＳＨＤは上フレーム、ＣＦＬは導光板ＧＬＢと共にバックライトを構成する冷陰極蛍光ランプ、ＲＦＳは反射板である。また、参照符号ＦＰＣ１、ＦＰＣ２は駆動回路チップＤＩＣ等に表示のためのデータやタイミング信号を供給するためのフレキシブルプリント基板、ＬＰＣはランプケーブルを示す。
【００３７】
導光板ＧＬＢは下フレームＭＤＬの内側に設置され、その下側には反射板ＲＦＳが設けられている。導光板ＧＬＢの液晶パネルＰＮＬ側には光学補償シート積層体が重ね合わされて下フレームＭＤＬに収容されている。そして、導光板ＧＬＢの一方の側縁に沿って冷陰極蛍光ランプＣＦＬが配置されている。
【００３８】
このような構成とした液晶表示装置において、液晶パネルＰＮＬは導光板ＧＬＢ、冷陰極蛍光ランプＣＦＬ、ランプ反射シートＬＦＳ等で構成されたバックライトからの光で照明され、当該液晶パネルＰＮＬに形成された電子潜像を可視化する。
【００３９】
図１１は本発明の液晶表示装置の回路構成を簡略に説明するブロック図である。図中、参照符号ＡＲは液晶パネルの有効表示領域を示し、この有効表示領域ＡＲにおいて前記した第１の基板ＳＵＢ１の内面に、ゲート線（走査線）ＧＬ、ドレイン線（データ線）ＧＬ、共通電極線ＣＬ、薄膜トランジスタＴＦＴ、カラーフィルタ層ＣＦ、画素電極（ＩＴＯ２）等が形成されている。走査線ＧＬとデータ線ＧＬの交差部分に画素選択用の薄膜トランジスタＴＦＴが形成されている（図示せず）。共通電極線ＣＬは前記した第１の基板（対向基板ＳＵＢ２）の内面に形成された共通電極に共通電位を供給するものであり、第１基板であるアクティブ・マトリクス基板ＳＵＢ１側から端子Ｖｃｏｍを介して体好基板ＳＵＢ２側に接続される。
【００４０】
走査線ＧＬは走査回路ＧＤＲで駆動され、データ線ＧＬにはデータ線駆動回路ＤＤＲから表示データが供給される。コントローラＣＴＬは外部信号源ＳＳＣから入力する表示信号に基づいて表示データやタイミング信号などの制御信号を生成する。表示データはデータ線駆動回路ＤＤＲに与えられ、制御信号は走査回路ＧＤＲに印加される。電源回路ＰＷＵは液晶表示装置に必要とれる各種の電圧を生成する。
【００４１】
図１２は本発明の液晶表示装置を用いた液晶表示モジュールを実装した電子機器の一例であるテレビ受像機の外観図である。このテレビ受像機は表示部ＤＳＰとスタンド部ＳＴＤで構成され、比較的大サイズの画面を有する液晶パネルＰＮＬを有する液晶表示装置が表示部ＤＳＰに実装される。液晶表示装置の画面となる液晶パネルＰＮＬの有効表示領域は表示部に露呈されている。このテレビ受像機の表示部に本発明の液晶表示装置を実装することで、高品質、高信頼性の画像表示装置を実現できる。
【００４２】
【発明の効果】
以上説明したように、本発明によれば、液晶パネルのサイドライト型バックライトを構成する導光板の出光面に断面が略３角形の凸条を形成し、その角度を特定したことにより、光学補償シート積層体の構成シートを低減して全体の厚みを薄くし、照明光分布にむらをもたらすことなく、高品質の表示を可能とした液晶表示装置を提供することができる。
【図面の簡単な説明】
【図１】本発明によるサイドライト型の液晶表示装置の構成例を模式的に説明する要部断面図である。
【図２】図１における導光板の外観を説明する斜視図である。
【図３】本発明によるサイドライト型の液晶表示装置の第２実施例の構成を模式的に説明する導光板の断面図である。
【図４】本発明によるサイドライト型の液晶表示装置の第３実施例の構成を模式的に説明する導光板の断面図である。
【図５】出射角に対する輝度分布の説明図である。
【図６】入射角に対する輝度分布の説明図である。
【図７】導光板の出光面から出射する光の輝度分布の説明図である。
【図８】図１における導光板の凸条の後斜面における出射光の説明図である。
【図９】本発明による液晶表示装置を用いた液晶表示モジュールの構成例を模式的に説明する要部断面図である。
【図１０】本発明による液晶表示装置の全体構成の一例を説明する展開斜視図である。
【図１１】本発明の液晶表示装置の回路構成を簡略に説明するブロック図である。
【図１２】本発明の液晶表示装置を用いた液晶表示モジュールを実装した電子機器の一例であるテレビ受像機の外観図である。
【図１３】従来の一般的なサイドライト型バックライトを設置した液晶表示装置の一構成例を模式的に説明する断面図である。
【図１４】従来の一般的なサイドライト型バックライトを構成する導光板の他の構成例を模式的に説明する断面図である。
【符号の説明】
ＰＮＬ・・・・液晶パネル、ＳＵＢ１・・・・第１基板、ＳＵＢ２・・・・第２基板、ＰＯＬ１，ＰＯＬ２・・・・偏光シート、ＯＰＳ・・・・光学補償シート積層体、ＧＬＢ・・・・導光板、ＣＦＬ・・・・冷陰極蛍光ランプ、ＭＤＬ・・・・下フレーム、ＲＦＳ・・・・反射シート、ＬＦＳ・・・・ランプ反射シート、ＳＨＤ・・・・上フレーム、ＡＲ・・・・有効表示領域、ＤＦ・・・・拡散シート、ＰＲＺ１・・・・第１プリズムシート、ＰＲＺ２・・・・第２プリズムシート。
【図１】
2004069879.tif 000003
【図２】
2004069879.tif 000004
【図３】
2004069879.tif 000005
【図４】
2004069879.tif 000006
【図５】
2004069879.tif 000007
【図６】
2004069879.tif 000008
【図７】
2004069879.tif 000009
【図８】
2004069879.tif 000010
【図９】
2004069879.tif 000011
【図１０】
2004069879.tif 000012
【図１１】
2004069879.tif 000013
【図１２】
2004069879.tif 000014
【図１３】
2004069879.tif 000015
【図１４】
2004069879.tif 000016